(57)【特許請求の範囲】
【請求項１】
加熱調理用の電磁波を発生させるための電磁波発生部及び該電磁波発生部を駆動する駆動部を有し、該駆動部夫々が上下に向き合って上位置と下位置とに配されている二つの電磁波発生手段と、該電磁波発生手段夫々が発生した電磁波を導入し、被加熱物を加熱するための加熱室と、前記電磁波発生手段夫々を冷却するための送風機と、該送風機が吹出した空気を前記電磁波発生手段夫々の周りに送風する二つの送風路とを備える加熱調理器において、前記二つの送風路は、前記二つの電磁波発生手段の上下端部間の周部を取り囲む通風ダクトと、該通風ダクト内を前記電磁波発生手段夫々の駆動部側と前記電磁波発生部側とに上下に仕切る仕切壁とにより形成してあることを特徴とする加熱調理器。
【請求項２】
前記仕切壁は、前記駆動部夫々の上下端部間における周部の周方向の一の箇所と対向する位置に上下に配される第１仕切板及び該第１仕切板から上下方向と交差する方向へ配される第２仕切板を有する請求項１記載の加熱調理器。
【請求項３】
前記駆動部夫々の上下端部間における周部の周方向の他の箇所と対向する位置に、挿通孔を有する絶縁板を配してあり、前記駆動部夫々に接続される給電線を前記挿通孔に挿通してある請求項１又は２記載の加熱調理器。
【請求項４】
前記絶縁板は前記通風ダクトの一部を形成している請求項３記載の加熱調理器。
【請求項５】
前記駆動部夫々は、前記周部の周方向の他の箇所で、前記挿通孔と対応する箇所から上下方向と交差する方向へ突出する電源端子を有し、前記通風ダクトは、前記電磁波発生部夫々の上下端部間における周部の、前記周方向の他の箇所と同じ側の周方向の箇所と対向する位置に配され、且つ前記電源端子及び挿通孔と対応する箇所が開放された整風板を有し、前記絶縁板は前記整風板に重ねて配され、該絶縁板の前記電源端子と対応する箇所に、上下方向と交差する方向へ窪む前記挿通孔を配してある請求項４記載の加熱調理器。
【請求項６】
前記給電線は、前記電源端子に接続され、且つ前記挿通孔内に配されるコネクタを有し、前記絶縁板は、前記挿通孔及びコネクタ間の隙間を閉塞する閉塞材により前記コネクタに固定されている請求項５記載の加熱調理器。
【請求項７】
前記絶縁板は、前記駆動部夫々の上下端部間における周部の周方向の一の箇所と対向する位置に上下に配される第１仕切板から上下方向と交差する方向へ配されている第２仕切板と、前記電磁波発生部夫々の上下端部間における周部の周方向の他の箇所と対向する側に配され、且つ前記駆動部夫々における前記周部の周方向の他の箇所から上下方向と交差する方向へ突出された電源端子と対応する箇所が開放された整風板との間に挿入保持されている請求項５又は６記載の加熱調理器。
【請求項８】
前記第２仕切板と、前記整風板の前記開放された開放部縁とは上下及び上下方向と直交する方向へ離隔している請求項７記載の加熱調理器。
【発明の詳細な説明】
【技術分野】
【０００１】
本発明は被加熱物を加熱する電子レンジ等の加熱調理器に関する。
【背景技術】
【０００２】
加熱調理器は、被加熱物を加熱するための加熱室と、マイクロ波を発生させるためのマグネトロンと、該マグネトロンが発生したマイクロ波を前記加熱室へ導くための導波管と、前記マグネトロンを冷却するための送風機とを備える（例えば、特許文献１参照）。
【０００３】
ところで、加熱調理器は、家庭の台所に配置され、家族により使用される家庭用と、ホテル、レストラン、ファーストフード店等の厨房に配置され、顧客に料理を提供する際に店員等により使用される業務用とがある。家庭用は一日当たり数回使用されるに過ぎないため、被加熱物を加熱するために必要な発熱量は比較的少なくてよいのに対し、業務用は開店時間内で頻繁に使用され、加熱調理の需要に直ちに対応することができるようにするため、被加熱物を加熱するために必要な発熱量を比較的多くし、短時間で加熱調理する必要がある。
【０００４】
そこで、家庭用の加熱調理器は、１つのマグネトロンを備え、該マグネトロンで発生したマイクロ波を、１つの導波管を伝搬して加熱室に放射するように構成されている。また、業務用の加熱調理器は、加熱室の上部一側に横方向へ離隔して並置される２つのマグネトロンと、マグネトロン夫々の上側に配された２つの導波管と、マグネトロン夫々の下側に配された２つの送風機と、送風機夫々が吹出した空気を各マグネトロンの周りに送風する２つの送風路とを備え、２つのマグネトロンで発生したマイクロ波を、２つの導波管を伝搬して加熱室に放射するように構成されている（例えば、特許文献１参照）。
【特許文献１】特開平５−３２２１８７号公報
【発明の開示】
【発明が解決しようとする課題】
【０００５】
ところが、特許文献１のように加熱室の一側上部に横方向へ離隔して２つのマグネトロンが並置されている加熱調理器にあっては、加熱室の容積に対応して２つのマグネトロンの並置位置が制限され、マグネトロン間の距離が比較的短くなり、２つのマグネトロンのマイクロ波発生部同士が比較的短距離で横方向に対向しているため、一方のマグネトロンを冷却した後の空気熱が他方のマグネトロンに大きく影響し、２つのマグネトロンの冷却効果に大きな差が発生する。このように２つのマグネトロンの冷却効果に大きな差が発生すると、冷却効果が小さいマグネトロンは、冷却効果が大きいマグネトロンよりも早く故障が発生し易くなる。
【０００６】
２つのマグネトロンを備える加熱調理器では、１つのマグネトロンが故障すると、この故障したマグネトロンを補修、又は交換しないことには加熱量が不足し、加熱調理することができないため、補修、交換時には加熱調理の需要に対応することができない。
【０００７】
本発明は斯かる事情に鑑みてなされたものであり、主たる目的は第１及び第２の電磁波発生手段を上下に離隔して配し、送風機が吹出した空気を電磁波発生手段夫々の周りへ送風する第１及び第２の送風路を設けることにより、電磁波発生手段夫々の冷却効果を均等化することができ、電磁波発生手段夫々の耐久性を高めることができる加熱調理器を提供することにある。
【課題を解決するための手段】
【０００８】
本発明に係る加熱調理器は、加熱調理用の電磁波を発生させるための電磁波発生部及び該電磁波発生部を駆動する駆動部を有し、該駆動部夫々が上下に向き合って上位置と下位置とに配されている二つの電磁波発生手段と、該電磁波発生手段夫々が発生した電磁波を導入し、被加熱物を加熱するための加熱室と、前記電磁波発生手段夫々を冷却するための送風機と、該送風機が吹出した空気を前記電磁波発生手段夫々の周りに送風する二つの送風路とを備える加熱調理器において、前記二つの送風路は、前記二つの電磁波発生手段の上下端部間の周部を取り囲む通風ダクトと、該通風ダクト内を前記電磁波発生手段夫々の駆動部側と前記電磁波発生部側とに上下に仕切る仕切壁とにより形成してあることを特徴とする。
【０００９】
この発明にあっては、上下位置に配してある電磁波発生手段夫々の電磁波発生部間の距離をより一層長くすることができるため、一方の電磁波発生手段を冷却した後の空気が他方の電磁波発生手段に影響するのをより一層低減でき、二つの送風路が送風する空気により電磁波発生手段夫々をより一層同条件で均等的に冷却することが可能であり、電磁波発生手段夫々の冷却効果をより一層均等化することができ、電磁波発生手段夫々の耐久性を高めることができる。
しかも、駆動部に比べて高温となる電磁波発生部に集中的に空気を送ることができ、電磁波発生部夫々を集中的に冷却することができるため、電磁波発生手段夫々の冷却効果をより一層均等化することができる。
【００１２】
また、本発明に係る加熱調理器は、前記仕切壁は、前記駆動部夫々の上下端部間における周部の周方向の一の箇所と対向する位置に上下に配される第１仕切板及び該第１仕切板から上下方向と交差する方向へ配される第２仕切板を有する構成とするのが好ましい。
この発明にあっては、一つの通風ダクト内に、第１仕切板及び第２仕切板により第１及び第２の送風路を設けることができるため、通風ダクトの組込により第１及び第２の送風路を得ることができ、組立て作業性を向上することができる。
【００１３】
また、本発明に係る加熱調理器は、前記駆動部夫々の上下端部間における周部の周方向の他の箇所と対向する位置に、挿通孔を有する絶縁板を配してあり、前記駆動部夫々に接続される給電線を前記挿通孔に挿通してある構成とするのが好ましい。
この発明にあっては、給電線から送風ダクト側へ漏電するのを防ぐことができる。
【００１４】
また、本発明に係る加熱調理器は、前記絶縁板は前記通風ダクトの一部を形成して構成とするのが好ましい。
この発明にあっては、通風ダクトの一部が絶縁板を有するため、送風ダクト周りの構造を簡素化でき、組立て作業性を向上することができる。
【００１５】
また、本発明に係る加熱調理器は、前記駆動部夫々は、前記周部の周方向の他の箇所で、前記挿通孔と対応する箇所から上下方向と交差する方向へ突出する電源端子を有し、前記通風ダクトは、前記電磁波発生部夫々の上下端部間における周部の、前記周方向の他の箇所と同じ側の周方向の箇所と対向する位置に配され、且つ前記電源端子及び挿通孔と対応する箇所が開放された整風板を有し、前記絶縁板は前記整風板に重ねて配され、該絶縁板の前記電源端子と対応する箇所に、上下方向と交差する方向へ窪む前記挿通孔を配してある構成とするのが好ましい。
この発明にあっては、電源端子に接続される給電線を取外すことなく絶縁板を装着及び取外すことができるため、該絶縁板を、該絶縁板に緊締応力が加わらない状態で装着することが可能である。従って、耐熱性及び耐電圧性は高いが、機械的に脆弱な絶縁板を用いることができ、また、絶縁板を簡易に装着することができる。
【００１６】
また、本発明に係る加熱調理器は、前記給電線は、前記電源端子に接続され、且つ前記挿通孔内に配されるコネクタを有し、前記絶縁板は、前記挿通孔及びコネクタ間の隙間を閉塞する閉塞材により前記コネクタに固定されている構成とするのが好ましい。
この発明にあっては、閉塞材により絶縁板を固定することができるため、振動等により絶縁板が不測に位置ずれするのを防ぐことができ、電磁波発生手段の冷却性を維持することができる。
【００１７】
また、本発明に係る加熱調理器は、前記絶縁板は、前記駆動部夫々の上下端部間における周部の周方向の一の箇所と対向する位置に上下に配される第１仕切板から上下方向と交差する方向へ配されている第２仕切板と、前記電磁波発生部夫々の上下端部間における周部の周方向の他の箇所と対向する側に配され、且つ前記駆動部夫々における前記周部の周方向の他の箇所から上下方向と交差する方向へ突出された電源端子と対応する箇所が開放された整風板との間に挿入保持されている構成とするのが好ましい。
この発明にあっては、第２仕切板と整風板との間に絶縁板を挿入することにより、該絶縁板を保持することができ、また、第２仕切板と整風板との間から絶縁板を抜き出すことができるため、メンテナンスの際に電磁波発生手段が脱着されるとき、絶縁板の脱着を簡易にでき、メンテナンスの作業性を向上できる。
【００１８】
また、本発明に係る加熱調理器は、前記第２仕切板と、前記整風板の前記開放された開放部縁とは上下及び上下方向と直交する方向へ離隔している構成とするのが好ましい。
この発明にあっては、第２仕切板と二つの整風板との上下方向に対する横方向離隔の距離が異なる場合であっても、離隔の距離が短い側に配される絶縁板を変形させることにより、該絶縁板を第２仕切板及び整風板の開放部縁間から整風板の内側へ挿入することができ、絶縁板の装着作業性を高めることができる。
【発明の効果】
【００１９】
本発明によれば、上下位置に配してある第１及び第２の電磁波発生手段間の距離を比較的長くすることができ、一方の電磁波発生手段を冷却した後の空気が他方の電磁波発生手段に影響するのを低減でき、二つの送風路が送風する空気により電磁波発生手段夫々を同条件で均等的に冷却することが可能であり、電磁波発生手段夫々の冷却効果を均等化することができ、電磁波発生手段夫々の耐久性を高めることができる。しかも、駆動部に比べて高温となる電磁波発生部に集中的に空気を送ることができ、電磁波発生部夫々を集中的に冷却することができるため、電磁波発生手段夫々の冷却効果をより一層均等化することができる。
【発明を実施するための最良の形態】
【００２０】
以下本発明をその実施の形態を示す図面に基づいて詳述する。
図１は本発明に係る加熱調理器の構成を示す模式的斜視図、図２及び図３は加熱調理器の構成を示す一部を省略した背面側斜視図、図４は加熱調理器の構成を示す正面図、図５は加熱調理器の構成を示す一部を省略した平面図、図６は加熱調理器の構成を示す一部を省略した背面図、図７は加熱調理器の構成を示す一部を省略した右側面図、図８は加熱調理器の構成を示す一部を省略した左側面図、図９は加熱調理器の構成を示す概略断面図である。
【００２１】
図１に示す加熱調理器は被加熱物を電磁波で加熱する電子レンジであり、被加熱物を加熱するための加熱室１ａを前側に有し、該加熱室１ａの後側に電装室１ｂを有し、略直方体をなす加熱調理器本体１と、電装室１ｂに収納された第１及び第２の電磁波発生手段２，３と、電磁波発生手段２，３夫々を駆動するトランス４，４ａと、電磁波発生手段２，３夫々が発生した電磁波を加熱室１ａへ個別に導く第１及び第２の電磁波供給手段５，５ａと、電磁波発生手段２，３夫々を個別に冷却する第１及び第２の送風機６，６ａとを備える。
【００２２】
加熱調理器本体１は、略直方体をなし、加熱室１ａの前側を開放してあるキャビネット１１と、前側の開放部を開閉する扉体１２と、キャビネット１１内の前側に配され、加熱室１ａを有する筐体１３と、該筐体１３の上側に配され、加熱室１ａ内の空気をキャビネット１１の外部へ誘導する排気ダクト１４及び外部の空気を加熱室１ａへ供給する給気ダクト１５と、加熱室１ａ内の空気を排気ダクト１４内へ排出するための第３の送風機１６と、電磁波発生手段２，３等の電気部品を制御する制御手段と、該制御手段を操作する操作部１７等とを備える。
【００２３】
キャビネット１１は、四角形状をなすベース１１ａと、該ベース１１ａの前縁部に結合され、開放部を有する前フレーム１１ｂと、ベース１１ａの後縁部に取付けられている後フレーム１１ｃと、両側板及び天板を有し、略逆Ｕ字形をなすカバー体１１ｄとを備え、ベース１１ａの前側に筐体１３が取付けられ、前フレーム１１ｂの開放部の一側に扉体１３が枢支されている。
【００２４】
後フレーム１１ｃの上下中央部及び下部には、グリル形状の第１及び第２の排気口１ｃ，１ｄが開設され、上部一側には排気ダクト１４の出側端に連通するグリル形状の第３の排気口１ｅが開設され、上部他側には給気ダクト１５の入側端に連通するグリル形状の第３の吸気口１ｆが開設されている。また、後フレーム１１ｃの排気口１ｃ，１ｄと対向する箇所には上下方向に開放された排気誘導板１１ｅが取付けられている（図３参照）。
【００２５】
カバー体１１ｄの両側板前部には、グリル形状の第１及び第２の吸気口１ｇ，１ｈが開設されている（図５参照）。
【００２６】
筐体１３は前側に開放部を有する略直方体をなし、天板の一側部に排出口１３ａを、他側部に供給口１３ｂを夫々開設してある。天板及び底板の中央部は円形の凹所１３ｃ，１３ｄを有し、凹所１３ｃ，１３ｄの夫々に、放射状の凸部を有する回転アンテナ５１，５１ａ及び該回転アンテナ５１，５１ａを駆動するモータ５２，５２ａを配してある。また、加熱室１ａの上部には、凹所１３ｃ，１３ｄの開口部を閉塞する蓋板１３ｅ，１３ｆ及び回転アンテナ５１，５１ａの駆動／停止を検出するセンサ７と、天板との間に通気路ａを形成するための遮板１３ｇとが設けられている。
【００２７】
排気ダクト１４及び給気ダクト１５は、等しい大きさの角筒形状をなし、筐体１３の天板上面に取付けられている。排気ダクト１４の底板には、排出口１３ａに対応する入口が開設され、給気ダクト１５の底板には、供給口１３ｂに対応する出口が開設されており、また、排気ダクト１４内に第３の送風機１６を配してある。
【００２８】
以上のように略直方体に形成された加熱調理器本体１における加熱室１ａの上位置及び下位置で、横方向中央部には第１及び第２の電磁波供給手段５，５ａが配され、加熱室１ａの後側で横方向中央部の上位置には第１の電磁波発生手段２が配され、横方向中央部の下位置には第２の電磁波発生手段３が配され、第１の電磁波発生手段２の前両側部に第１及び第２の送風機６，６ａが配され、第２の電磁波発生手段３の両側にトランス４，４ａが配されている。
【００２９】
第１及び第２の電磁波供給手段５，５ａは、略長円の深皿形をなし、開放側を加熱室１ａの上位置、下位置に対向させて前後方向に配されている導波管５３，５３ａと、回転アンテナ５１，５１ａ及び該回転アンテナ５１，５１ａを駆動するモータ５２，５２ａとを備える。導波管５３，５３ａの長手方向後部は筐体１３よりも後側に配され、長手方向前側は筐体１３の前後方向中央に配置されて前記凹所１３ｃ，１３ｄを兼ねている。
【００３０】
図１０は電磁波発生手段２，３の構成を示すもので、(a) は模式的正面図、(b) は模式的側面図である。第１及び第２の電磁波発生手段２，３は、加熱調理用の電磁波を発生させるための電磁波発生部２１，３１、及び電磁波発生部２１，３１を駆動する駆動部２２，３２を有するマグネトロンからなる。
【００３１】
電磁波発生部２１，３１は、陽極及び該陽極と同心的に配された陰極を有し、略円柱の外形を有する共振部２１ａ，３１ａと、該共振部２１ａ，３１ａの外周りに並設された複数のフィン２１ｂ，３１ｂと、共振部２１ａ，３１ａ及びフィン２１ｂ，３１ｂの一部を被覆する枠形ヨーク２１ｃ，３１ｃと、共振部２１ａ，３１ａの一端から枠形ヨーク２１ｃ，３１ｃの外方へ突出され、共振部２１ａ，３１ａが発生したマイクロ波を出力するアンテナ２１ｄ，３１ｄとを備え、共振部２１ａ，３１ａの他端に、電源回路及び該電源回路に接続された電源端子２２ａ，３２ａを有する駆動部２２，３２が結合されている。
【００３２】
枠形ヨーク２１ｃ，３１ｃは前後に貫通する角筒形をなし、対向する上下面に開設されている孔に共振部２１ａ，３１ａの両端が嵌合保持されている。又、枠形ヨーク２１ｃ，３１ｃのアンテナ２１ｄ，３１ｄ側端には取付片が突設され、また、枠形ヨーク２１ｃ，３１ｃにおける両側部の駆動部２２，３２側端には外方へ延出された第２仕切板１０ｃ，１０ｃが設けられている。第２仕切板１０ｃ，１０ｃは、略Ｌ字形をなす金属板の一片からなり、金属板の他片が枠形ヨーク２１ｃ，３１ｃの両側面に雄螺子により固定されている。
【００３３】
駆動部２２，３２は角筒形をなし、枠形ヨーク２１ｃ，３１ｃの外側に配されて上下に向き合っており、上下端部間における側部、換言すると上下端部間における周部の一側に電源端子２２ａ，３２ａが突設されている。電源端子２２ａ，３２ａには、一端がトランス４，４ａに接続されている給電線２０，２０の他端のコネクタ２０ａ，２０ａが接続されている。
【００３４】
以上のように構成された電磁波発生手段２，３は、駆動部２２，３２が上下に向き合い、電磁波発生部２１，３１が駆動部２２，３２に対し上下の反対側に配され、電源端子２２ａ，３２ａ夫々が相反する側となるように対象的に配され、枠形ヨーク２１ｃの取付片が、後記する通風ダクトの天板に取付けられ、該導波管４３の後部内側にアンテナ２１ｄが配される。また、枠形ヨーク３１ｃの取付片が、後記する通風ダクトの底板に取付けられ、該導波管４３ａの後部内側にアンテナ３１ｄが配される。また、枠形ヨーク２１ｃ，３１ｃは前後に開放されている。
【００３５】
以上のように加熱室１ａの後側で、上下位置に配された第１及び第２の電磁波発生手段２，３は加熱室１ａと後方へ離隔して配され、該電磁波発生手段２，３の横周り、換言すると電磁波発生手段２，３の上下端部間の周部を取り囲む位置に、電磁波発生手段２，３夫々に冷却用の空気をほぼ均等量送風するための第１及び第２の送風路８，８ａを画成する通風ダクト９及び仕切壁１０を配してある。
【００３６】
図１１〜図１６は第１及び第２の電磁波発生手段２，３を冷却するための構成を示すもので、図１１は模式的背面図、図１２は模式的右側面図、図１３は模式的左側面図、図１４は図１２のＸ−Ｘ線の断面図、図１５は第１の電磁波発生手段と整風板及び絶縁板との関係を示すもので、(a) は分解した側面図、(b) は整風板が装着された状態の側面図、(c) は整風板及び絶縁板が装着された状態の側面図である。また、図１６は第２の電磁波発生手段と整風板及び絶縁板との関係を示すもので、(a) は分解した側面図、(b) は整風板が装着された状態の側面図、(c) は整風板及び絶縁板が装着された状態の側面図である。また、図１７は加熱調理器の模式的背面図である。
【００３７】
通風ダクト９は、図１１乃至図１３に示すように第１及び第２の電磁波発生手段２，３の左右両側に離隔して上下に配された二つの整風板９１，９１と、整風板９１，９１の一部（上部及び下部）に重ねて前記左右両側に配された二つの絶縁板９２，９２と、筐体１３の後面と、第１及び第２の排気口１ｃ，１ｄを有する後フレーム１１ｃと、第１の電磁波発生部２１の上部に固定された天板９３と、第２の電磁波発生部３１の下部に固定された底板９４とからなり、該通風ダクト９内に、電磁波発生手段２，３の駆動部２２，３２側と電磁波発生部２１，３１側とに上下に仕切る仕切壁１０が設けられ、第１及び第２の送風路８，８ａが画成されている。
【００３８】
整風板９１は金属板からなり、電磁波発生部２１，３１の横側に配された第１及び第２の板部９１ａ，９１ｂと、板部９１ａ，９１ｂの前部に連なる連結部９１ｃとにより、駆動部２２，３２の側部と向き合う箇所が開放された略コ字形をなしている。一方の第１の板部９１ａの連結部９１ｃ近傍には第１の送風機８の吹出口に連通する第１の導入口９５が開設され、他方の連結部９１ｃには第２の送風機８ａの吹出口に連通する第２の導入口９６が開設されている。
【００３９】
第１の板部９１ａの下縁（開放部縁）と、枠形ヨーク２１ｃに突設されている第２仕切板１０ｃとの間、及び第２の板部９１ｂの上縁（開放部縁）と、枠形ヨーク３１ｃに突設されている第２仕切板１０ｃとの間は図１１、図１８−１９に示すように上下へ離隔ｂ、及び上下方向と直交する方向（横方向）へ離隔している。
【００４０】
絶縁板９２は、耐熱性及び耐電圧性を有し、且つ加工性に優れたマイカ板からなり、一方の絶縁板９２の電源端子２２ａと対応する箇所には後方へ窪む凹状の挿通孔９２ａが開設され、他方の絶縁板９２の電源端子３２ａと対応する箇所には後方へ窪む凹状の挿通孔９２ｂが開設され、その上部が第１の板部９１ａ及び第２仕切板１０ｂの間に挿入保持され、その下部が第２の板部９１ｂ及び第２仕切板１０ｂの間に挿入保持されている。また、挿通孔９２ａ，９２ｂ内にコネクタ２０ａ，２０ａが配されている。尚、マイカ板は、機械的に脆弱であり、螺子止め及びカシメによる固定が困難であるため、一般にはダクト壁面等の構造材に適していないと認識されているが、絶縁板９２は上述のように挿入保持され、緩やかな嵌合により装着されているため、外部応力を受けることなく装着することができる。
【００４１】
挿通孔９２ａ及びコネクタ２０ａ間の隙間と、挿通孔９２ｂ及びコネクタ２０ａ間の隙間とは絶縁性を有する閉塞材３０，３０により閉塞され、閉塞材３０，３０が絶縁板９２，９２をコネクタ２０ａ，２０ａに固定している。
【００４２】
天板９３は二つの整風板９１，９１の第１の板部９１ａ，９１ａと一体に形成され、前端が筐体１３の上部に固定され、該天板９３に枠形ヨーク２１ｃが取付けられている。また、天板９３の中央部を貫通する孔にアンテナ２１ｄが挿通されている。
【００４３】
底板９４は二つの整風板９１，９１の第２の板部９１ｂ，９１ｂと一体に形成され、前端が筐体１３の下部に固定され、該底板９４に枠形ヨーク３１ｃが取付けられている。また、底板９４の中央部を貫通する孔にアンテナ３１ｄが挿通されている。
【００４４】
仕切壁１０は、図１２，図１３に示すように電磁波発生部２１，３１間で、且つ第２の導入口９６と駆動部２２，３２の前部との間に上下に配され、通風ダクト９内の上下方向中央側を前後に仕切り、駆動部２２，３２を前後に通風遮蔽する第１仕切板１０ａと、第１及び第２の導入口９５，９６間で第１仕切板１０ａの上端から横方向に配され、通風ダクト９内の導入口９５，９６側（前側）を上下に仕切る第２仕切板１０ｂ，１０ｃとを有し、通風ダクト９の上側に第１の送風路８、下側に第２の送風路８ａを夫々画成してある。第２仕切板１０ｂは電磁波発生手段２，３の左右両側に配される整風板９１，９１の第１の板部９１ａ，９１ａに結合され、図１４に示すように上下方向へ傾斜している。第２仕切板１０ｃ，１０ｃは枠形ヨーク２１ｃの下部及び枠形ヨーク３１ｃの上部に突設されている。
【００４５】
第１及び第２の送風路８，８ａは送風量が略均等となるように設定されている。第１の送風路８は、第１の導入口９５及び第１の排気口１ｃ間で、枠形ヨーク２１ｃ内と、整風板９１，９１及び枠形ヨーク２１ｃ間とに形成されおり、第１の排気口１ｃに連通している。第２の送風路８ａは、第２の導入口９６及び第２の排気口１ｄ間で、第１仕切板１０ａ及び筐体１３の後面間と、枠形ヨーク３１ｃ内と、整風板９１，９１、絶縁板９２，９２及び枠形ヨーク３１ｃ間とに形成されおり、第２の排気口１ｄに連通している。
【００４６】
第１及び第２の送風機６，６ａは筐体１３の後部に取付けられ、各吹出口が導入口９５，９６と向き合っている。
【００４７】
以上のように構成された加熱調理器は、前面に設けられている操作部１７を操作することにより制御手段が動作し、加熱室１ａの後側で上下位置に配されている電磁波発生手段２，３の駆動部２２，３２に通電され、電磁波発生部２１，３１のアンテナ２１ｄ，３１ｄから導波管５３，５３ａ内へ電磁波が出力され、該電磁波が導波管５３，５３ａ及び回転アンテナ５１，５１ａにより誘導されて加熱室１ａへ供給され、加熱室１ａに収容されている被加熱物が加熱調理され、また、第１〜第３の送風機６，６ａ，１６が駆動される。
【００４８】
第３の送風機１６により、加熱室１ａの空気が筐体１３の排出口１３ａから排気ダクト１４内へ吸引され、加熱室１ａの内圧が低下し、第３の吸気口１ｆから給気ダクト１４内へ外気が吸込まれ、給気ダクト１５内を経て供給口１３ｂから加熱室１ａへ空気が供給され、該加熱室１ａ内の空気が排気ダクト１４内を経て第３の排気口１ｅから外部へ排出される。
【００４９】
第１及び第２の送風機６，６ａにより、カバー体１１ｄに開設されている第１及び第２の吸気口１ｇ，１ｈから外部の空気がカバー体１１ｄ内へ吸引される。第１の送風機６の吹出口から吹出された空気は第１の導入口９５から第１の送風路８へ供給され、電磁波発生部２１の横周りを集中的に冷却することができ、第２の送風機６ａの吹出口から吹出された空気は第２の導入口９６から第２の送風路８ａへ供給され、電磁波発生部３１の横周りを集中的に冷却することができる。
【００５０】
第１の送風路８の空気は後フレーム１１ｃの第１の排気口１ｃから外部へ排出され、第２の送風路８ａの空気は後フレーム１１ｃの第２の排気口１ｄから外部へ排出される。この際、第１及び第２の送風路８，８ａから電磁波発生部２１，３１の横周りへ供給する送風量をほぼ均等にすることができるため、電磁波発生部２１，３１の冷却効果をほぼ均等にすることができる。また、比較的熱発生が少ない駆動部２２，３２を仕切壁１０により通風遮蔽し、送風機６，６ａが吹出した送風量の全量を電磁波発生部２１，３１の横周りへ供給するため、電磁波発生部２１，３１の冷却効率を高めることができ、業務用で稼働時間が長くなる場合においても電磁波発生部２１，３１が過熱になるのを防ぐことができ、電磁波発生手段２，３の耐久性を高めることができる。
【００５１】
以上のように送風ダクト９を形成することにより、電磁波発生手段２，３を固定支持する箇所は強固な金属板を用い、電気絶縁性が必要である箇所には、外部応力を受けない形態で絶縁板９２，９２を用いているため、電磁波発生手段２，３の送風冷却に好適であり、また、通風ダクト９の一部を構成する絶縁板９２，９２は、上部及び下部が緩やかな嵌合により装着され、電源端子２２ａ，３２ａに接続される給電線２０，２０のコネクタ２０ａ，２０ａと絶縁板９２，９２の挿通孔９２ａ，９２ｂとの間の隙間が可塑性を有する閉塞材３０，３０により閉塞され絶縁板９２，９２の移動を阻止してあるため、メンテナンスの際に電磁波発生手段２，３が脱着されるとき、絶縁板９２，９２を、とくに工具を用いることなく脱着することができ、メンテナンスの作業性を向上できる。これにより、絶縁板９２，９２を螺子固定した場合に懸念される、脱着の際の螺子山の損耗、螺子頭の損傷などがなく、通風ダクト９部分の信頼性を向上できる。
【００５２】
また、第１の板部９１ａの下縁と第２仕切板１０ｃとの間、及び第２の板部９１ｂの上縁と第２仕切板１０ｃとの間は図１１に示すように上下へ離隔ｂ、及び横方向へ離隔しているため、メンテナンスの際に電磁波発生手段２，３が脱着されるとき、絶縁板９２，９２の脱着を簡易にでき、メンテナンスの作業性をより一層向上できる。
【００５３】
図１８、図１９は第１の電磁波発生手段２と通風ダクト９との関係を示す説明図である。以上説明した実施の形態では、図１１に示すように第１の板部９１ａの下縁と第２仕切板１０ｃとの間、及び第２の板部９１ｂの上縁と第２仕切板１０ｃとの間は上下へ離隔ｂ、及び横方向へ離隔ｃしているため、第２仕切板１０ｃ，１０ｃと二つの整風板９１，９１との横方向離隔ｃの距離が異なる場合であっても、電磁波発生手段２，３の横方向への位置規制を行う必要がなく、可撓性を有し離隔ｃの距離が短い側に配される絶縁板９２を図１８に示すように変形させることにより、該絶縁板９２を第２仕切板１０ｃ及び第１の板部９１ａの下縁間から第１の板部９１ａの内側へ挿入することができ、絶縁板９２の装着作業性を高めることができる。尚、図１９に示すように第１の板部９１ａの下縁と第２仕切板１０ｃ，１０ｃとの間に上下への離隔ｂがなく、第２仕切板１０ｃ，１０ｃが二つの整風板９１，９１と対向している構成において、第２仕切板１０ｃ，１０ｃと第１の板部９１ａ，９１ａとの横方向離隔ｃの距離が異なる場合、離隔ｃの距離が短い側に配される絶縁板９２を第２仕切板１０ｃと第１の板部９１ａとの間に挿入することが困難である。
【００５４】
尚、以上説明した実施の形態では２つの送風機６，６ａが第１及び第２の送風路８，８ａへ空気を供給する構成としたが、その他、１つの送風機が第１及び第２の送風路８，８ａへ空気を供給する構成としてもよい。また、第１及び第２の送風路８，８ａは電磁波発生部２１，３１の横周りに空気を供給する構成としたが、その他、電磁波発生部２１，３１及び駆動部２２，３２の周りに各別に空気を供給する構成としてもよい。
【図面の簡単な説明】
【００５５】
【図１】本発明に係る加熱調理器の構成を示す模式的斜視図である。
【図２】本発明に係る加熱調理器の構成を示す一部を省略した背面側斜視図である。
【図３】本発明に係る加熱調理器の構成を示す一部を省略した背面側斜視図である。
【図４】本発明に係る加熱調理器の構成を示す正面図である。
【図５】本発明に係る加熱調理器の構成を示す一部を省略した平面図である。
【図６】本発明に係る加熱調理器の構成を示す一部を省略した背面図である。
【図７】本発明に係る加熱調理器の構成を示す一部を省略した右側面図である。
【図８】本発明に係る加熱調理器の構成を示す一部を省略した左側面図である。
【図９】本発明に係る加熱調理器の構成を示す概略断面図である。
【図１０】電磁波発生手段の構成を示すもので、(a) は模式的正面図、(b) は模式的側面図である。
【図１１】第１及び第２の電磁波発生手段を冷却するための構成を示す模式的背面図である。
【図１２】第１及び第２の電磁波発生手段を冷却するための構成を示す模式的右側面図である。
【図１３】第１及び第２の電磁波発生手段を冷却するための構成を示す模式的左側面図である。
【図１４】図１２のＸ−Ｘ線の断面図である。
【図１５】第１の電磁波発生手段と整風板及び絶縁板との関係を示すもので、(a) は分解した側面図、(b) は整風板が装着された状態の側面図、(c) は整風板及び絶縁板が装着された状態の側面図である。
【図１６】第２の電磁波発生手段と整風板及び絶縁板との関係を示すもので、(a) は分解した側面図、(b) は整風板が装着された状態の側面図、(c) は整風板及び絶縁板が装着された状態の側面図である。
【図１７】本発明に係る加熱調理器の模式的背面図である。
【図１８】第１の電磁波発生手段と通風ダクトとの関係を示す説明図である。
【図１９】第１の電磁波発生手段と通風ダクトとの関係を示す説明図である。
【符号の説明】
【００５６】
１    加熱調理器本体
１ａ  加熱室
２    第１の電磁波発生手段
３    第２の電磁波発生手段
２１，３１  電磁波発生部
２２，３２  駆動部
２２ａ，３２ａ  電源端子
８    第１の送風路
８ａ  第２の送風路
９    通風ダクト
９１  整風板
９２  絶縁板
９２ａ，９２ｂ  挿通孔
１０  仕切壁
１０ａ  第１仕切板
１０ｂ，１０ｃ  第２仕切板
２０  給電線
２０ａ  コネクタ
【図１】
0004637193.tif 000002
【図２】
0004637193.tif 000003
【図３】
0004637193.tif 000004
【図４】
0004637193.tif 000005
【図５】
0004637193.tif 000006
【図６】
0004637193.tif 000007
【図７】
0004637193.tif 000008
【図８】
0004637193.tif 000009
【図９】
0004637193.tif 000010
【図１０】
0004637193.tif 000011
【図１１】
0004637193.tif 000012
【図１２】
0004637193.tif 000013
【図１３】
0004637193.tif 000014
【図１４】
0004637193.tif 000015
【図１５】
0004637193.tif 000016
【図１６】
0004637193.tif 000017
【図１７】
0004637193.tif 000018
【図１８】
0004637193.tif 000019
【図１９】
0004637193.tif 000020